(57)【要約】【課題】サイズの異なる複数種類の携帯情報端末に装着することができる携帯情報端末カバーを提供する。【解決手段】カバー本体は、携帯情報端末の背面を覆う背面板部を備える。弾性シートは、弾性を有するシートである。弾性シートは、固定部と、自由部と、を有する。固定部は、背面板部における携帯情報端末の背面と対向する面である背面対向面に固定される。自由部は、背面対向面から離間可能である。自由部には、携帯情報端末の四隅を形成する４つの角部のうちの第１の角部を挿入するための少なくとも１つの第１の孔と、第２の角部を挿入するための少なくとも１つの第２の孔と、第３の角部を挿入するための少なくとも１つの第３の孔と、第４の角部を挿入するための少なくとも１つの第４の孔と、が形成されている。【選択図】図１
2017058921.tif 000002
【特許請求の範囲】
【請求項１】
携帯情報端末に装着される携帯情報端末カバーであって、
前記携帯情報端末の背面を覆う背面板部を備えるカバー本体と、
弾性を有するシートである弾性シートと、
を備え、
前記弾性シートは、前記背面板部における前記携帯情報端末の背面と対向する面である背面対向面に固定された固定部と、前記背面対向面から離間可能な自由部と、を有し、
前記自由部には、前記携帯情報端末の四隅を形成する４つの角部のうちの第１の角部を挿入するための少なくとも１つの第１の孔と、第２の角部を挿入するための少なくとも１つの第２の孔と、第３の角部を挿入するための少なくとも１つの第３の孔と、第４の角部を挿入するための少なくとも１つの第４の孔と、が形成されている、携帯情報端末カバー。
【請求項２】
請求項１に記載の携帯情報端末カバーであって、
前記弾性シートは、当該弾性シートが略Ｘ字状になるように突出した４つの突出部を備え、
前記４つの突出部のうちの第１の突出部に前記第１の孔が形成され、第２の突出部に前記第２の孔が形成され、第３の突出部に前記第３の孔が形成され、第４の突出部に前記第４の孔が形成されている、携帯情報端末カバー。
【請求項３】
請求項１又は請求項２に記載の携帯情報端末カバーであって、
前記第１の孔、前記第２の孔、前記第３の孔及び前記第４の孔のそれぞれは、前記携帯情報端末の中心に向かう方向に沿って複数形成されている、携帯情報端末カバー。
【請求項４】
請求項１から請求項３までのいずれか１項に記載の携帯情報端末カバーであって、
前記カバー本体は、前記背面板部と連結され、一定方向に沿った１つ以上の回転軸を中心に前記背面板部に対して移動することにより、前記携帯情報端末の正面を覆った状態と、前記携帯情報端末の正面を開放した状態と、を実現可能な正面板部を更に備え、
前記背面板部は、前記回転軸に沿った方向と平行な折曲線で折り曲げ可能に構成され、
前記固定部は、前記背面対向面における前記折曲線よりも前記正面板部に近い第１の部分面及び前記正面板部から遠い第２の部分面のうち、前記第２の部分面に位置する、携帯情報端末カバー。
【請求項５】
請求項１から請求項４までのいずれか１項に記載の携帯情報端末カバーであって、
前記携帯情報端末は、タブレット端末である、携帯情報端末カバー。
【発明の詳細な説明】
【技術分野】
【０００１】
本発明は、携帯情報端末カバーに関する。
【背景技術】
【０００２】
ユーザが携帯して使用可能な情報機器である携帯情報端末に装着する携帯情報端末カバーが知られている。例えば特許文献１には、携帯情報端末の一種であるタブレット端末に装着される携帯情報端末カバーであるタブレットカバーが記載されている。
【０００３】
このタブレットカバーは、上部カバーと下部カバーとを備え、下部カバーの４箇所のコーナーの内面には袋状のコーナー押えが縫製されている。そして、この４箇所のコーナー押えにタブレット端末の四隅をはめ込むことで、タブレット端末にタブレットカバーを装着する。
【先行技術文献】
【特許文献】
【０００４】
【特許文献１】実用新案登録第３１８１３９５号公報
【発明の概要】
【発明が解決しようとする課題】
【０００５】
しかしながら、前述したタブレットカバーでは、コーナー押えにはめ込むことができるタブレット端末のサイズはあらかじめ決まっており、サイズの異なる複数種類のタブレット端末に装着することはできないという問題があった。
【０００６】
本発明は、サイズの異なる複数種類の携帯情報端末に装着することができる携帯情報端末カバーを提供することを目的とする。
【課題を解決するための手段】
【０００７】
本発明の一側面は、携帯情報端末に装着される携帯情報端末カバーであって、カバー本体と、弾性シートと、を備える。カバー本体は、携帯情報端末の背面を覆う背面板部を備える。弾性シートは、弾性を有するシートである。弾性シートは、固定部と、自由部と、を有する。固定部は、背面板部における携帯情報端末の背面と対向する面である背面対向面に固定される。自由部は、背面対向面から離間可能である。自由部には、携帯情報端末の四隅を形成する４つの角部のうちの第１の角部を挿入するための少なくとも１つの第１の孔と、第２の角部を挿入するための少なくとも１つの第２の孔と、第３の角部を挿入するための少なくとも１つの第３の孔と、第４の角部を挿入するための少なくとも１つの第４の孔と、が形成されている。
【０００８】
この構成では、第１の孔、第２の孔、第３の孔及び第４の孔は自由部に形成されている。そのため、弾性シートにおける孔の形成された部分が携帯情報端末の中心から離れるように、弾性シートの自由部を引き延ばすことで、携帯情報端末の中心を基準とする各孔の位置を変化させることができる。したがって、サイズの異なる携帯情報端末であっても、４つの角部のそれぞれを対応する孔に挿入することができる。そして、携帯情報端末の４つの角部が４つの孔のそれぞれに挿入された状態では、弾性シートが携帯情報端末の背面に密着するように装着される。弾性シートは背面対向面に固定されているため、携帯情報端末は弾性シートを介して背面対向面に固定される。このように、上記構成の携帯情報端末カバーによれば、サイズの異なる複数種類の携帯情報端末に装着することができる。
【０００９】
上記構成において、弾性シートは、当該弾性シートが略Ｘ字状になるように突出した４つの突出部を備えてもよい。そして、４つの突出部のうちの第１の突出部に第１の孔が形成され、第２の突出部に第２の孔が形成され、第３の突出部に第３の孔が形成され、第４の突出部に第４の孔が形成されてもよい。
【００１０】
このような構成によれば、例えば弾性シートが長方形状である場合と比較して、弾性シートにおける孔が形成された部分が携帯情報端末の中心から離れるように、弾性シートの自由部を引き延ばしやすくすることができる。したがって、サイズの異なるより多くの種類の携帯情報端末に対応しやすくすることができる。
【００１１】
上記構成において、第１の孔、第２の孔、第３の孔及び第４の孔のそれぞれは、携帯情報端末の中心に向かう方向に沿って複数形成されていてもよい。
このような構成によれば、弾性シートを引き延ばしたときに各孔の周辺部分に加わる力が分散される。したがって、第１の孔、第２の孔、第３の孔及び第４の孔のそれぞれが１つしか形成されていない構成と比較して、弾性シートが破損することを抑制し、弾性シート４の耐久性を向上させることができる。
【００１２】
また、例えば、携帯情報端末のサイズが小さいほど携帯情報端末の中心に近い孔を使用するといったように、携帯情報端末のサイズに応じて複数の第１の孔、第２の孔、第３の孔及び第４の孔を使い分けることができる。その結果、各角部に対応する孔が１つだけしか形成されていない構成と比較して、サイズの異なるより多くの種類の携帯情報端末に対応しやすくすることができる。
【００１３】
上記構成において、カバー本体は、正面板部を更に備えてもよい。正面板部は、背面板部と連結され、一定方向に沿った１つ以上の回転軸を中心に背面板部に対して移動することにより、携帯情報端末の正面を覆った状態と、携帯情報端末の正面を開放した状態と、を実現可能にする。そして、背面板部は、回転軸に沿った方向と平行な折曲線で折り曲げ可能に構成され、固定部は、背面対向面における折曲線よりも正面板部に近い第１の部分面及び正面板部から遠い第２の部分面のうち、第２の部分面に位置していてもよい。
【００１４】
このような構成によれば、携帯情報端末の四隅を保持した状態で第１の部分面を携帯情報端末から離間させることができる。そのため、背面板部を折り曲げ、携帯情報端末を正面板部の上に立てた状態で使用する場合にも、携帯情報端末を安定して保持することができる。
【００１５】
上記構成において、携帯情報端末は、タブレット端末であってもよい。
【図面の簡単な説明】
【００１６】
【図１】タブレットカバーの開いた状態の正面図である。
【図２】タブレット端末に装着された状態のタブレットカバーの正面図である。
【図３】タブレットカバーの閉じた状態の斜視図である。
【図４】タブレット端末が支持溝で支持された状態のタブレットカバーの側面図である。
【発明を実施するための形態】
【００１７】
以下、本発明の例示的な実施形態について図面を参照しながら説明する。
［１．構成］
図１及び図２に示すタブレットカバー１は、携帯情報端末の一例としてのタブレット端末に装着されることにより、タブレット端末の正面及び背面を覆う２つ折りの手帳型のカバーである。タブレットカバー１は、サイズの異なる複数種類のタブレット端末に装着可能に構成されている。
【００１８】
図２に示すタブレット端末２は、タブレットカバー１を装着可能なタブレット端末の一例である。タブレット端末２の正面には、タッチパネル式のディスプレイ２５が設けられている。一般にこの種のタブレット端末は、例えばスマートフォンのように通話機能を備える携帯情報端末よりも大きなディスプレイを有する。
【００１９】
タブレット端末２は、正面視が略長方形状の板状であり、正面視において四隅を形成する４つの角部を有している。本実施形態では、図２に示すように、タブレット端末２の正面視において左上、左下、右下及び右上に位置する角部を、それぞれ第１の角部２１、第２の角部２２、第３の角部２３及び第４の角部２４と称する。
【００２０】
図１及び図２に示すように、タブレットカバー１は、カバー本体３及び弾性シート４を備える。
カバー本体３は、略長方形状の板状であり、Ｕ字状に折り畳むことができる。カバー本体３は、図４の側面図に示されるように、２種類のシートである第１のシート３１と第２のシート３２とを厚み方向に重ねることにより形成されている。第１のシート３１及び第２のシート３２は、形状、サイズ及び厚みが略同一であるが、素材が異なる。第１のシート３１は起毛素材のシートであり、第２のシート３２は合皮のシートである。本実施形態では、起毛素材としてスウェードが用いられる。
【００２１】
第１のシート３１及び第２のシート３２は、これらの外縁に沿って縫い目３３（図１〜図３参照）を形成することで一体とされている。カバー本体３は、第１のシート３１がタブレット端末２と対向するように、換言すれば第１のシート３１がカバー本体３の内側になるように使用される。
【００２２】
カバー本体３は、背面板部３４、側面板部３５及び正面板部３６を有する。具体的には、カバー本体３は、当該カバー本体３を折り曲げるための第１の折曲線３７及び第２の折曲線３８により、背面板部３４、側面板部３５及び正面板部３６に区分される。第１の折曲線３７及び第２の折曲線３８はいずれもカバー本体３の短辺に沿った方向と平行であり、背面板部３４、側面板部３５及び正面板部３６のそれぞれは略長方形状である。具体的には、背面板部３４、側面板部３５及び正面板部３６のいずれも、その長手方向が、カバー本体の短辺に沿った方向と平行である。
【００２３】
背面板部３４は、カバー本体３におけるタブレット端末２の背面を覆う部分である。図２に示すように、カバー本体３は、タブレット端末２の長手方向と背面板部３４の長手方向とが一致するように、タブレット端末２に装着される。背面板部３４におけるタブレット端末２の背面と対向する面である背面対向面３４ａは、タブレット端末２の正面視でのサイズよりも一回り大きく設計されている。カバー本体３がタブレット端末２に装着された状態において、タブレット端末２は、背面対向面３４ａにおける中央に位置する。
【００２４】
側面板部３５は、カバー本体３におけるタブレット端末２の側面を覆う部分である。側面板部３５の短手方向の長さは、タブレット端末２の厚みよりもやや大きくなるように設計されている。換言すれば、側面板部３５の短手方向の長さが背面板部３４及び正面板部３６の短手方向の長さよりも小さくなるように設計されている。
【００２５】
正面板部３６は、カバー本体３におけるタブレット端末２の正面を覆う部分である。このため、正面板部３６の短手方向の長さは、背面板部３４の短手方向の長さと同一である。正面板部３６は、カバー本体３が第１の折曲線３７及び第２の折曲線３８で折り曲げられることにより、側面板部３５に対して移動する。換言すれば、第１の折曲線３７及び第２の折曲線３８は、正面板部３６が側面板部３５に対して移動する際の２つの回転軸として機能し、正面板部３６は、これら２つの回転軸を中心に側面板部３５に対して移動する。そして、側面板部３５に対する正面板部３６の移動により、カバー本体３が開閉される。具体的には、図３に示すようなタブレット端末２の正面を覆った状態（換言すれば、カバー本体３がＵ字状に折り畳まれた状態）と、図２に示すようなタブレット端末２の正面を開放した状態と、が実現される。
【００２６】
図３及び図４に示すように、正面板部３６には、カバー本体３がＵ字状に折り畳まれた状態を維持するためのゴム製の帯であるゴム帯３８が取り付けられている。ゴム帯３８は、正面板部３６の外側（タブレット端末２が位置する側と反対側）を正面板部３６の長手方向と平行に周回するように配置される。ゴム帯３８は、その一部が前述した第１のシート３１と第２のシート３２との間に挟まれることで正面板部３６に固定されている。そして、ゴム帯３８が背面板部３４に引っ掛けられることで、カバー本体３が折り畳まれた状態が維持される。
【００２７】
ところで、本実施形態のタブレットカバー１は、タブレット端末２を正面板部３６の上に立てた状態で支持するスタンド機能を有する。このスタンド機能を実現するために、背面板部３４は、当該背面板部３４を２つに折り曲げるための折曲線３４１を有している。折曲線３４１は、２本の折曲線３７，３８と平行である。また、折曲線３４１は、２本の折曲線３７，３８に沿った背面対向面３４ａの中心線よりもやや正面板部３６と反対側にずれて位置している。なお、背面対向面３４ａは、折曲線３４１により正面板部３６に近い第１の部分面３４ｂと正面板部３６から遠い第２の部分面３４ｃとに二分される。
【００２８】
また、正面板部３６におけるタブレット端末２の正面と対向する面である正面対向面３６ａは、折曲線３４１と平行な２本の溝である支持溝３６１，３６２を有している。これらの支持溝３６１，３６２は、正面対向面３６ａの短手方向に沿って間隔を空けて配置されており、背面板部３４に近い順に支持溝３６１及び支持溝３６２が位置している。図４に示すように、支持溝３６１，３６２は、タブレット端末２の一端を差し込むことができる幅に形成されている。
【００２９】
弾性シート４は、背面対向面３４ａに固定された弾性を有するシートであり、その面方向に伸縮可能である。本実施形態では、弾性シート４は、１枚のゴム製のシートである。
弾性シート４は、正面対向面３６ａの長手方向に沿った長さが短手方向に沿った長さよりも長い上下左右対称な形状をしている。具体的には、弾性シート４は、上下左右の中央部が窪んだ形状をしている。換言すれば、弾性シート４は、当該弾性シート４が略Ｘ字状になるように突出した４つの突出部を備える。本実施形態では、図１に示すように、弾性シート４の正面視において左上、左下、右下及び右上に位置する突出部を、それぞれ第１の突出部４１、第２の突出部４２、第３の突出部４３及び第４の突出部４４と称する。
【００３０】
弾性シート４には、タブレット端末２の４つの角部２１，２２，２３，２４を挿入するための複数（この例では１２個）の孔が形成されている。具体的には、第１の突出部４１には、第１の角部２１を挿入するための複数（この例では３個）の第１の孔４１ａ，４１ｂ，４１ｃが形成されている。第２の突出部４２には、第２の角部２２を挿入するための複数（この例では３個）の第２の孔４２ａ，４２ｂ，４２ｃが形成されている。第３の突出部４３には、第３の角部２３を挿入するための複数（この例では３個）の第３の孔４３ａ，４３ｂ，４３ｃが形成されている。第４の突出部４４には、第４の角部２４を挿入するための複数（この例では３個）の第４の孔４４ａ，４４ｂ，４４ｃが形成されている。
【００３１】
前述したように、弾性シート４は上下左右方向について対称であるため、４つの突出部４１〜４４、ひいては第１の孔４１ａ〜４１ｃ、第２の孔４２ａ〜４２ｃ、第３の孔４３ａ〜４３ｃ及び第４の孔４４ａ〜４４ｃの構造は互いに共通している。したがって、以下では、第１の孔４１ａ〜４１ｃを例に挙げ説明する。
【００３２】
第１の孔４１ａ〜４１ｃは、タブレット端末２の中心に向かう方向に沿って形成されており、サイズは異なるが、同一の形状を有している。具体的には、第１の孔４１ａ〜４１ｃは、タブレット端末２の中心に近い孔ほど相似的に小さくなるように形成されている。
【００３３】
第１の孔４１ａ〜４１ｃのそれぞれは、三日月状に形成される。換言すれば、第１の孔４１ａ〜４１ｃのそれぞれは、タブレット端末２の中心に向かう方向と直交する方向に長い形状をしており、その長手方向の中央部においてタブレット端末２の中心と反対側に膨らんだ形状をしている。
【００３４】
弾性シート４は、背面対向面３４ａに部分的に固定されており、背面対向面３４ａに直接固定された部分である固定部４５と、背面対向面３４ａから離間可能な部分である自由部４６と、を有している。
【００３５】
弾性シート４は、第１の部分面３４ｂには固定されておらず、第２の部分面３４ｃに固定されている。つまり、固定部４５は、第２の部分面３４ｃに位置している。また、固定部４５は、第３の孔４３ａ〜４３ｃ及び第４の孔４４ａ〜４４ｃよりもタブレット端末２の中心の近くに位置しており、弾性シート４の正面視において上下方向に伸びた形状をしている。具体的には、折曲線３４１と、弾性シート４の外縁のうち第３の突出部４３と第４の突出部４４との間の外縁と、に沿って固定部４５が形成されている。
【００３６】
また、本実施形態では、弾性シート４の一部が閉じた線に沿って背面対向面３４ａに縫い付けられることにより、弾性シート４が背面対向面３４ａに固定され、弾性シート４における縫い目４７によって囲まれた領域が固定部４５として機能する。
【００３７】
次に、タブレットカバー１の、タブレット端末２を正面板部３６の上に立てた状態で支持するスタンド機能について図４を用いて説明する。まず、タブレットカバー１を開くとともに背面板部３４を折曲線３４１で折り曲げる。そして、タブレット端末２の一端を支持溝３６１又は支持溝３６２に差し込むことでタブレット端末２が正面板部３６の上に立てた状態で支持される。なお、図示しないが、支持溝３６１にタブレット端末２の一端が差し込まれた状態では、図４に示すような支持溝３６２にタブレット端末２の一端が差し込まれた状態と比較して、より垂直に近い角度でタブレット端末２が支持される。
【００３８】
［２．効果］
以上詳述した実施形態によれば、以下の効果が得られる。
（２ａ）本実施形態では、第１の孔４１ａ〜４１ｃ、第２の孔４２ａ〜４２ｃ、第３の孔４３ａ〜４３ｃ及び第４の孔４４ａ〜４４ｃは、自由部４６に形成されている。そのため、弾性シート４における孔４１ａ〜４１ｃ，４２ａ〜４２ｃ，４３ａ〜４３ｃ，４４ａ〜４４ｃの形成された部分がタブレット端末２の中心から離れるように、弾性シート４の自由部４６を引き延ばすことで、サイズの異なるタブレット端末であっても、４つの角部のそれぞれを対応する孔に挿入することができる。したがって、本実施形態のタブレットカバー１では、サイズの異なる複数種類のタブレット端末に装着することができる。
【００３９】
（２ｂ）本実施形態では、弾性シート４に形成された孔４１ａ〜４１ｃ，４２ａ〜４２ｃ，４３ａ〜４３ｃ，４４ａ〜４４ｃにタブレット端末２の角部２１〜２４を挿入するだけで、タブレットカバー１がタブレット端末２に装着される。したがって、例えば、タブレット端末２の四隅をはめ込むためのコーナー押えを備えるような構成と比較して、タブレットカバーをタブレット端末２に装着するための部位の厚みを比較的小さくすることができる。
【００４０】
（２ｃ）本実施形態では、弾性シート４は、当該弾性シート４が略Ｘ字状になるように突出した４つの突出部４１〜４４を備える。そして、第１の突出部４１に第１の孔４１ａ〜４１ｃが形成され、第２の突出部４２に第２の孔４２ａ〜４２ｃが形成され、第３の突出部４３に第３の孔４３ａ〜４３ｃが形成され、第４の突出部４４に第４の孔４４ａ〜４４ｃが形成される。そのため、例えば弾性シートが長方形状である場合と比較して、弾性シート４の自由部４６を引き延ばしやすくなる。したがって、サイズの異なる複数種類のタブレット端末に対応しやすくすることができる。
【００４１】
（２ｄ）本実施形態では、第１の孔４１ａ〜４１ｃ、第２の孔４２ａ〜４２ｃ、第３の孔４３ａ〜４３ｃ及び第４の孔４４ａ〜４４ｃのそれぞれは、タブレット端末２の中心に向かう方向に沿って３個ずつ形成されている。このため、弾性シート４を引き延ばしたときに各孔４１ａ〜４１ｃ，４２ａ〜４２ｃ，４３ａ〜４３ｃ，４４ａ〜４４ｃの周辺部分に加わる力が分散される。すなわち、例えば一番端に位置する孔である第１の孔４１ａ、第２の孔４２ａ、第３の孔４３ａ及び第４の孔４４ａにタブレット端末２の４つの角部２１〜２４が挿入された場合、残りの孔４１ｂ，４１ｃ，４２ｂ，４２ｃ，４３ｂ，４３ｃ，４４ｂ，４４ｃが弾性シート４の変形を吸収する。このため、第１の孔、第２の孔、第３の孔及び第４の孔のそれぞれが１つしか形成されていない構成と比較して、弾性シート４の無理な変形が抑制されることになり、弾性シート４が破損することを抑制し、弾性シート４の耐久性を向上させることができる。
【００４２】
また、例えば、タブレット端末のサイズが小さいほどタブレット端末の中心に近い孔を使用するといったように、タブレット端末のサイズに応じて複数の第１の孔４１ａ〜４１ｃ、第２の孔４２ａ〜４２ｃ、第３の孔４３ａ〜４３ｃ及び第４の孔４４ａ〜４４ｃを使い分けることができる。その結果、各角部に対応する孔が１つだけしか形成されていない構成と比較して、サイズの異なるより多くの種類のタブレット端末に対応しやすくすることができる。
【００４３】
（２ｅ）本実施形態では、正面板部３６は、一定方向に沿った２つの回転軸である第１の折曲線３７及び第２の折曲線３８を中心に背面板部３４に対して移動する。そして、背面板部３４は、回転軸に沿った方向と平行な折曲線３４１で折り曲げ可能に構成され、固定部４５は、背面対向面３４ａにおける折曲線３４１よりも正面板部３６に近い第１の部分面３４ｂ及び正面板部３６から遠い第２の部分面３４ｃのうち、第２の部分面３４ｃに位置している。したがって、タブレット端末２の四隅を保持した状態で第１の部分面３４ｂをタブレット端末２から離間させることができる。そのため、背面板部３４を折り曲げ、タブレット端末２を正面板部３６の上に立てた状態で使用する場合にも、タブレット端末２を安定して保持することができる。
【００４４】
（２ｆ）本実施形態では、正面対向面３６ａは起毛素材で構成される。したがって、正面対向面３６ａにおける支持溝３６１，３６２以外の部分にタブレット端末２を立てた場合であっても、正面対向面３６ａが例えば合皮で構成されている構成と比較して、タブレット端末２の一端が滑りにくくすることができる。
【００４５】
［３．他の実施形態］
以上、本発明の実施形態について説明したが、本発明は上記実施形態に限定されることなく、種々の形態を採り得る。
【００４６】
（３ａ）上記実施形態では、第１の孔４１ａ〜４１ｃ、第２の孔４２ａ〜４２ｃ、第３の孔４３ａ〜４３ｃ及び第４の孔４４ａ〜４４ｃは三日月状であったが、各孔の形状はこれに限られない。例えば、各孔は、円状、楕円状及び多角形状等であってもよい。
【００４７】
また、上記実施形態では、複数の第１の孔４１ａ〜４１ｃは同一形状であったが、複数の第１の孔４１ａ〜４１ｃの形状の関係はこれに限られない。例えば、複数の第１の孔のうちの一部が同じ形状であってもよく、また、すべての孔が異なる形状であってもよい。
【００４８】
また、上記実施形態では、第１の孔４１ａ〜４１ｃのうちタブレット端末２の中心に近い孔ほどサイズが小さかったが、複数の孔のサイズの関係はこれに限られない。例えば、複数の孔のうちの一部又はすべてが同じサイズであってもよい。第２の孔４２ａ〜４２ｃ、第３の孔４３ａ〜４３ｃ及び第４の孔４４ａ〜４４ｃについても同様である。
【００４９】
（３ｂ）上記実施形態では、第１の孔４１ａ〜４１ｃ、第２の孔４２ａ〜４２ｃ、第３の孔４３ａ〜４３ｃ及び第４の孔４４ａ〜４４ｃのそれぞれは３個ずつ形成されていたが、第１の孔、第２の孔、第３の孔及び第４の孔の数はこれに限られない。第１の孔、第２の孔、第３の孔及び第４の孔のそれぞれは、例えば１個ずつ形成されていてもよく、また、３個を除く複数個ずつ形成されていてもよい。
【００５０】
（３ｃ）上記実施形態では、弾性シート４は略Ｘ字状であったが、弾性シートの形状はこれに限られない。弾性シートは、例えば長方形状などの多角形状、丸状又は楕円状等であってもよい。また、弾性シート４は連続した１枚のシートであったが、弾性シートは例えば複数枚に分割されていてもよい。さらに、弾性シート４はゴムシートであったが、弾性シートの種類はこれに限られず、弾性シートはゴムシート以外の弾性を有するシートであってもよい。
【００５１】
（３ｄ）上記実施形態では、固定部４５は、折曲線３４１等に沿った形状であり弾性シート４の正面視において上下方向に伸びた形状をしていたが、固定部の形状はこれに限られない。固定部は、例えば、丸状、楕円状、半円状又は多角形状等であってもよい。また、上記実施形態では、閉じた線に沿って弾性シート４を刺繍したが、刺繍の方法はこれに限られず、例えば閉じていない線に沿って弾性シート４を刺繍してもよい。
【００５２】
また、上記実施形態では、固定部４５は、第２の部分面３４ｃに位置し、かつ、第３の孔４３ａ〜４３ｃ及び第４の孔４４ａ〜４４ｃよりもタブレット端末２の中心の近くに位置していた。つまり、固定部４５は、各孔４１ａ〜４１ｃ，４２ａ〜４２ｃ，４３ａ〜４３ｃ，４４ａ〜４４ｃよりもタブレット端末２の中心の近くに位置していた。しかし、固定部の位置にこれは限られない。例えば、固定部は、４つの突出部４１〜４４の少なくとも１つに位置していてもよい。また、例えば、閉じていない線に沿って刺繍することにより固定部が形成される場合は、弾性シート４の外縁の一部に沿って固定部が位置していてもよい。
【００５３】
また、上記実施形態では、弾性シート４は刺繍によりカバー本体３に固定されたが、固定方法はこれに限られない。弾性シート４は、例えば、接着により固定されてもよい。
（３ｅ）上記実施形態では、正面板部３６は、側面板部３５を介して背面板部３４と連結されたが、背面板部３４と正面板部３６との連結方法はこれに限られない。例えば、背面板部と側面板部とは、これらの板部を輪状の金具に貫通させることで互いに連結されてもよい。また、例えば、その他の連結専用の部品を用いて背面板部と側面板部とが連結されてもよい。
【００５４】
（３ｆ）上記実施形態では、携帯情報端末としてタブレット端末２を例示したが、携帯情報端末はこれに限られない。携帯情報端末は、例えばスマートフォン等であってもよい。
【００５５】
（３ｇ）上記実施形態では、タブレットカバー１は手帳型のカバーであったが、タブレットカバーの様式はこれに限られない。タブレットカバーは、例えば、背面板部のみを有し、タブレット端末の背面のみを覆うカバーであってもよい。この場合、カバー本体は背面板部を意味する。
【００５６】
また、タブレットカバー（ひいては携帯情報端末カバー）の形状、サイズ等は上記実施形態のものに限られない。例えば、携帯情報端末がスマートフォンである場合は、携帯情報端末カバーのサイズは上記実施形態よりも小さくてもよい。
【００５７】
（３ｈ）上記実施形態では、カバー本体３は、起毛素材及び合皮を用いて構成されたが、カバー本体の素材はこれに限られない。また、カバー本体３は、厚み方向に２種類のシートを重ねることにより形成されたが、カバー本体の構成はこれに限られない。カバー本体は、例えば、１種類のシートであってもよく、また、３種類以上のシートを重ねることにより構成されてもよい。
【００５８】
（３ｉ）上記実施形態では、正面対向面３６ａには２本の支持溝３６１，３６２が形成されていたが、支持溝の数はこれに限られない。支持溝は、例えば１本又は３本以上形成されていてもよい。また、例えば、支持溝はなくてもよい。
【００５９】
また、上記実施形態では、支持溝３６１，３６２によりタブレット端末２の一端が支持されたが、タブレット端末２の一端を支持する構成はこれに限られない。例えば、正面対向面３６ａに直線状に隆起した隆起部を設け、当該隆起部にタブレット端末２の一端を掛止させることにより支持してもよい。
【００６０】
（３ｊ）上記実施形態では、正面板部３６は、第１の折曲線３７及び第２の折曲線３８を回転軸として背面板部３４に対して移動した。つまり、正面板部３６は、２本の回転軸を中心に移動したが、回転軸の数はこれに限られない。回転軸は例えば１つ又は３つ以上であってもよい。なお、回転軸が１つの場合は、カバー本体がＶ字状に折り畳まれる場合等に対応する。
【００６１】
（３ｋ）上記実施形態では、背面板部３４を折り曲げることでタブレット端末２が正面板部３６の上に立つにようにしたが、背面板部３４を折り曲げることの用途はこれに限られない。例えば、タブレット端末の背面にカメラのレンズが設けられている場合において、背面板部３４の第１の部分面３４ｂとカメラのレンズとが対向するようにタブレット端末にタブレットカバー１を装着する。そして、背面板部３４を折り曲げて第１の部分面３４ｂをタブレット端末の背面から離間させることで、カメラのレンズが露出するようにしてもよい。
【００６２】
また、上記実施形態では、背面板部３４は折り曲げ可能であったが、背面板部３４の構成はこれに限られず、折り曲げ不可能であってもよい。つまり、タブレットカバーは、スタンド機能を有していなくてもよい。
【００６３】
（３ｌ）上記実施形態では、正面板部３６に取り付けられたゴム帯３８によりカバー本体３が折り畳まれた状態が維持されたが、カバー本体が折り畳まれた状態を維持する方法はこれに限られない。例えば、背面板部及び正面板部のいずれか一方にベルトを設け、このベルトを他方の板部に留めることによりカバー本体が折り畳まれた状態が維持されてもよい。ベルトを留める方法としては、例えば、ボタンで留めるボタン式や磁石で留める磁石式等が挙げられる。また、他方の板部にベルトを通すベルト通しを設け、当該ベルト通しにベルトを通過させることによりベルトを留めてもよい。
【００６４】
（３ｍ）上記実施形態における１つの構成要素が有する機能を複数の構成要素として分散させたり、複数の構成要素が有する機能を１つの構成要素に統合させたりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００６５】
１…タブレットカバー、２…タブレット端末、３…カバー本体、４…弾性シート、２１〜２４…角部、２５…ディスプレイ、３１…第１のシート、３２…第２のシート、３３，４７…縫い目、３４…背面板部、３４ａ…背面対向面、３４ｂ…第１の部分面、３４ｃ…第２の部分面、３５…側面板部、３６…正面板部、３６ａ…正面対向面、３７…第１の折曲線、３８…第２の折曲線、３８…ゴム帯、４１…第１の突出部、４１ａ〜４１ｃ…第１の孔、４２…第２の突出部、４２ａ〜４２ｃ…第２の孔、４３…第３の突出部、４３ａ〜４３ｃ…第３の孔、４４…第４の突出部、４４ａ〜４４ｃ…第４の孔、４５…固定部、４６…自由部、３４１…折曲線、３６１，３６２…支持溝。
【図１】
2017058921.tif 000003
【図２】
2017058921.tif 000004
【図３】
2017058921.tif 000005
【図４】
2017058921.tif 000006